(57)【要約】【目的】  束線の如何なる巻径でも、如何なる線径でも、さらには、ドラム巻であっても、極めて簡単に電線の送り出しができると共に、電力不要で、省エネタイプの電線関連送り出し装置を提供すること。【構成】平板状の台座１と、該台座１の台座上面板１１に回転可能に設けた多数のロール２，２，…と、前記台座１上の略中心から放射方向に形成された少なくとも３本の放射状長孔１３と、該放射状長孔１３に着脱自在に設けられた調整用小柱３とからなること。該調整用小柱３には、回転可能な回転筒体３３が設けられてなること。  【選択図】      図１
2010111509.tif 000002
【特許請求の範囲】
【請求項１】
平板状の台座と、該台座の台座上面板に回転可能に設けた多数のロールと、前記台座上の略中心から放射方向に形成された少なくとも３本の放射状長孔と、該放射状長孔に着脱自在に設けられた調整用小柱とからなり、該調整用小柱には、回転可能な回転筒体が設けられてなることを特徴とする電線関連送り出し装置。
【請求項２】
請求項１において、前記放射状長孔は、前記台座上の略中心として約１２０度の略等間隔で３本の放射状長孔が形成されてなることを特徴とする電線関連送り出し装置。
【請求項３】
請求項１において、前記放射状長孔は、前記台座上の略中心として左右側にＸ方向長孔が、その上下にＹ方向長孔がそれぞれ形成されてなることを特徴とする電線関連送り出し装置。
【請求項４】
請求項１，２又は３において、前記調整用小柱は、下端にネジを設けたネジ付き棒状片と、前記棒状片の下端を支持する支持座と、長方形部及び角形棒出部とを有する異形ナットからなり、前記長方形部及び角形棒出部の幅が前記放射状長孔の幅よりも僅かに小さく形成されると共に、該放射状長孔の縁部の厚みよりは前記角形棒出部の高さが小さく形成されてなることを特徴とする電線関連送り出し装置。
【請求項５】
請求項４において、前記棒状片の上下に設けられた軸受を介して前記回転筒体が回転可能に備えられ、前記軸受の固定輪及び前記棒状片の下端が前記支持座にて支持されてなることを特徴とする電線関連送り出し装置。
【請求項６】
請求項４において、前記角形棒出部は、四角形状をなしてなることを特徴とする電線関連送り出し装置。
【請求項７】
請求項４において、前記角形棒出部は、六角形状をなしてなることを特徴とする電線関連送り出し装置。
【発明の詳細な説明】
【技術分野】
【０００１】
本発明は、束線の如何なる巻径でも、如何なる線径でも、さらには、ドラム巻であっても、極めて簡単に電線の送り出しができると共に、電力不要で、省エネタイプの電線関連送り出し装置に関する。
【背景技術】
【０００２】
従来より、束線として電線やケーブル等（以下単に「電線等」という。）や、ドラムに巻き付けた電線等のドラム巻を主に現場にて使用する場合、数十ｋｇ乃至約百ｋｇ程度となると、電源（１００ボルト又は２００ボルト）の交流電源を使用した電線送り出し装置を使用していた。その現場にて簡単に電源が取れればその装置を使用できるが、使用できないと、人手によってその重い束線としての電線等の巻き戻し作業をしなければならず、非能率であるばかりでなく、その作業員の疲労は大変なものであった。この明細書において、電線等と、ドラムに巻き付けた電線等のドラム巻をと総称して「電線関連」という。
【０００３】
引用文献１では、電線等の束線の径が異なっている場合には、対応できない欠点がある。また、ドラム巻の場合には、枠体なるリール芯２が僅かに変化する構成になっているが、ほぼ一定であり、図１０の使用状態からすると、セットできない不都合がある。また、引用文献２では、ドラム巻の場合には対応できたとしても、電線等の束線の場合には、直ぐに外れたりして対応できない不都合があった。
【特許文献１】特開２００２−６０１４３
【特許文献２】特開２００４−３４５７５９
【発明の開示】
【発明が解決しようとする課題】
【０００４】
このため、本発明が解決しようとする課題（技術的課題又は目的等）は、束線の如何なる巻径でも、如何なる線径でも、さらには、ドラム巻であっても、極めて簡単に電線の送り出しができることを実現することである。さらには、簡易且つ安価な装置の実現も求められている。
【課題を解決するための手段】
【０００５】
そこで、発明者は、上記課題を解決すべく鋭意，研究を重ねた結果、請求項１の発明を、平板状の台座と、該台座の台座上面板に回転可能に設けた多数のロールと、前記台座上の略中心から放射方向に形成された少なくとも３本の放射状長孔と、該放射状長孔に着脱自在に設けられた調整用小柱とからなり、該調整用小柱には、回転可能な回転筒体が設けられてなることを特徴とする電線関連送り出し装置としたことにより、前記課題を解決した。
【０００６】
請求項２の発明を、請求項１において、前記放射状長孔は、前記台座上の略中心として約１２０度の略等間隔で３本の放射状長孔が形成されてなることを特徴とする電線関連送り出し装置としたことにより、前記課題を解決した。また、請求項３の発明を、請求項１において、前記放射状長孔は、前記台座上の略中心として左右側にＸ方向長孔が、その上下にＹ方向長孔がそれぞれ形成されてなることを特徴とする電線関連送り出し装置としたことにより、前記課題を解決した。
【０００７】
請求項４の発明を、請求項１，２又は３において、前記調整用小柱は、下端にネジを設けたネジ付き棒状片と、前記棒状片の下端を支持する支持座と、長方形部及び角形棒出部とを有する異形ナットからなり、前記長方形部及び角形棒出部の幅が前記放射状長孔の幅よりも僅かに小さく形成されると共に、該放射状長孔の縁部の厚みよりは前記角形棒出部の高さが小さく形成されてなることを特徴とする電線関連送り出し装置としたことにより、前記課題を解決した。
【０００８】
また、請求項５の発明を、請求項４において、前記棒状片の上下に設けられた軸受を介して前記回転筒体が回転可能に備えられ、前記軸受の固定輪及び前記棒状片の下端が前記支持座にて支持されてなることを特徴とする電線関連送り出し装置としたことにより、前記課題を解決した。請求項６の発明を、請求項４において、前記角形棒出部は、四角形状をなしてなることを特徴とする電線関連送り出し装置としたことにより、前記課題を解決した。請求項７の発明を、請求項４において、前記角形棒出部は、六角形状をなしてなることを特徴とする電線関連送り出し装置としたことにより、前記課題を解決したものである。
【発明の効果】
【０００９】
請求項１の発明においては、束線の如何なる巻径でも、如何なる線径に対して電線等の送り出しを簡単に実現できる。特に、重い束線として電線等でも、電力を一切使用することがなくとも簡単にでき、省エネタイプにできる。特に、台座上に移動できれば、送り出し可能状態に簡単にできるし、結束線の処理も簡単にできる等の効果を奏する。請求項２の発明では、調整用小柱を３本の最小本で使用でき、簡易且つ安価に提供できる。
【００１０】
請求項３の発明では、調整用小柱を４本としたが、使用時において安定した構成にできる。請求項４の発明では、特に、前記調整用小柱の取扱い（取付け、取り外し）を台座の表面側のみからでき、能率的にできる利点がある。請求項５の発明では、前記調整用小柱の外側の回転筒体が軸受を介して設けられており、回転が極めてスムーズにできる。請求項６の発明では、回転筒体を約９０度の回転で、取付け、取り外しができる。さらに、請求項７の発明では、回転筒体を約６０度の回転で、取付け、取り外しができる効果を奏する。
【発明を実施するための最良の形態】
【００１１】
以下、本発明の実施形態について図面に基づいて説明すると、図１は本発明の斜視図で、図２は本発明の平面図、正面図等ある。本発明の電線関連送り出し装置は、図１及び図２に示すように、平板状で、主に略方形又は略円形状の台座１と、該台座１表面上に設けた多数のロール２と、少なくとも３本以上の調整用小柱３とから構成されている。前記台座１は、略正方形状の台座上面板１１と、該台座上面板１１の外周囲に適宜の高さ垂下した台座周縁部１２が一体形成されている。前記台座上面板１１には、該台座上面板１１の中心Ｏを中心として、少なくとも３本以上の長孔状の放射状長孔１３が設けられている。
【００１２】
本発明の実施形態では、該放射状長孔１３は、図２（Ａ）に示すように、Ｘ方向及びＹ方向を向いて、前記中心Ｏを起点として、左右にＸ方向長孔１３１，１３１が、上下にＹ方向長孔１３２，１３２がそれぞれ設けられている。具体的には、幅が十数mm乃至約２０数mmで、長手は、約２０数cm乃至約４０cm程度である。前記Ｘ方向長孔１３１の幅方向の両側の縁部を１３１ａ，１３１ａと、前記Ｙ方向長孔１３２の幅方向の両側の縁部を１３２ａ，１３２ａとそれぞれ称する。
【００１３】
前記台座上面板１１上の前記放射状長孔１３箇所を除く面には、多数の前記ロール２，２，……が転動可能に設けられている。該ロール２は、図５（Ｃ）に示すように、球体２１と、該球体２１の裏面側を包む複数の小球２２，２２，…と、該小球２２を受ける半球状受面２３と、前記球体２１の表面側を受ける外周抱持部２４とで構成されている。具体的には、約１cm乃至約２cm程度の球としての前記球体２１と前記半球状受面２３との間に、約１mm前後の前記小球２２が複数で転がり接触するように設けられている。
【００１４】
さらに、図５（Ｃ）に示すように、前記外周抱持部２４は、前記球体２１が表面側に飛び出さないように該球体２１の中心よりも表側に適宜な球の周縁を囲むように構成されている。前記外周抱持部２４は、上側の開口の内周で、前記球体２１を抱持しつつ、その下側の内ネジ部が前記半球状受面２３の外ネジ部が螺合している。何れにしても、前記ロール２は、球体２１が転動可能に設けられていれば、構成には限定されない。
【００１５】
前記ロール２は、具体的には、図２（Ａ）に示すように、前記台座上面板１１上の前記放射状長孔１３箇所を除く面に、多数がＸ方向及びＹ方向のピッチが約２cm乃至約４cm程度に多数設けられている。実施形態では、約２００乃至約数百が設けられる。前記ロール２，２，…は、図５（Ｃ）に示すように、上側位置の前記台座上面板１１と下側位置の裏面板１４とで、上下で包みこむようにして、ボルト・ナットなどの固着具１５を使用して取付けられている。前記ロール２を前記台座上面板１１及び裏面板１４に取付けるには、必要に応じて接着剤などを使用される。特に、本発明では、束線として電線は、円形をなしているため、前記台座上面板１１を平面的に見ると、多数のロール２，２，…の外周は、略円形状になるように設けられている。
【００１６】
前記調整用小柱３は、図３に示すように、ネジ３１ａ付き棒状片３１と、該棒状片３１の上下に取付けられる軸受３２，３２と、回転筒体３３と、前記棒状片３１及び軸受３２を支持する支持座３４と、前記ネジ３１ａに螺合する異形ナット３５とで構成されている。具体的には、前記棒状片３１は、高さが約２０cm乃至約５０cm程度であり、この下端に小径の外ネジなる前記ネジ３１ａが一体形成されている。前記棒状片３１の上端は数cm残した箇所と、その下端とに、軸受３２，３２の固定輪３２ａ，３２ａが嵌合固定されている。上下の軸受３２，３２の外輪３２ｂ，３２ｂ相互間に、前記回転筒体３３（約直径３cm乃至約５cm）が回転自在に設けられている。前記棒状片３１の上端には、合成ゴム又は天然ゴムなどの摘み部３６が被覆固定されている。
【００１７】
前記支持座３４は、図３及び図４に示すように、ドーナツ型板状をなし、前述したように、前記棒状片３１及び軸受３２を支持する部材であるが、その高さは数mm乃至約１cm程度であり、外径は、前記回転筒体３３の直径と同等である。内径には、前記棒状片３１のネジ３１ａに螺合し、中央箇所に僅かに上がる棒出部３４ａが前記棒状片３１の下端面及び軸受３２の固定輪３２ａ下面を支持する役割をなす。前記異形ナット３５は、平面的に見て長方形状をなし、その幅Ｓ１は、前記放射状長孔１３の幅Ｓ０よりも僅かに（約１mm内外）小さく形成されている。つまり、幅Ｓ０＞幅Ｓ１となっている。
【００１８】
また、前記調整用小柱３は、図２（Ｂ）に示すように、前記放射状長孔１３の長さの範囲内で距離Ｘだけ自在に調整できる。図３及び図４に示すように、前記異形ナット３５の長方形部３５ａの中央には一段と上がる角形棒出部３５ｂが形成されている。具体的には、該角形棒出部３５ｂは、正方形状をなし、この各辺の寸法はＳ１である。さらに、前記角形棒出部３５ｂの高さＴ１は、前記Ｘ方向長孔１３１の縁部１３１ａの高さＴ０又は前記Ｙ方向長孔１３２の縁部１３２ａの高さＴ０よりも低く形成されている。つまり、高さＴ０＞高さＴ１となっている。
【００１９】
前記調整用小柱３の取り付け、取り外しについて説明する。まず、該調整用小柱３には、前記異形ナット３５を取付けておく。該異形ナット３５の長方形部３５ａの頂面と前記支持座３４下面との間隔Ｌ［図３（Ｂ）参照］は、前記縁部１３１ａ又は縁部１３２ａの高さＴ０よりも大きくなるようにセットしておく。すなわち、間隔Ｌ＞高さＴ０となっている。自在に回転させるためである。そして、前記調整用小柱３の摘み部３６箇所を掴みつつ、下端の前記異形ナット３５の長方形部３５ａを、前記放射状長孔１３に挿入する。そして、前記摘み部３６を平面的に見て約９０度回転させる。このとき、前記異形ナット３５の長方形部３５ａが前記縁部１３１ａ又は縁部１３２ａに当接していないことが重要である。その感覚は一度試せばすぐに判る程度である。
【００２０】
そして、今度は、前記調整用小柱３の摘み部３６箇所を僅かに上昇させる。すると、前記角形棒出部３５ｂが、前記放射状長孔１３のＸ方向長孔１３１又はＹ方向長孔１３２に挿入するようにセットする。この作業も、前記長方形部３５ａ又は角形棒出部３５ｂについて前記放射状長孔１３を介して見ることで２、３回で慣れてできる。この状態となったら、その調整用小柱３の位置を、前記放射状長孔１３の長手方向の位置などを考慮して決定し、そして、摘み部３６を締め付けることで固定する。
【００２１】
つまり、間隔Ｌ＞高さＴ０で、且つ高さＴ０＞高さＴ１のため、異形ナット３５の長方形部３５ａの頂面と前記支持座３４下面との間隔Ｌを締め付けて縮めることで、高さＴ１間隔よりも小さくでき、確実に縁部１３１ａ又は縁部１３２ａに調整用小柱３の下部箇所を固定させることができる。  説明では、順序を追って説明したが、実際には、略瞬時にセットできる。
【００２２】
次に、取り外しについては、今度は、前記調整用小柱３の摘み部３６を数回逆回転を与える。すると、前記角形棒出部３５ｂの上端が、前記縁部１３１ａ又は縁部１３２ａの下端面よりは僅かに離間するようにセットする。このようにすることで、前記摘み部３６を持って平面的に見て約９０度回転させる。すると、前記角形棒出部３５ｂに一体化された長方形部３５ａの長手方向が、前記放射状長孔１３の長手方向と一致させることで、その異形ナット３５を前記放射状長孔１３のＸ方向長孔１３１又はＹ方向長孔１３２から外すことが簡単にできる。
【００２３】
次に、本発明の使用状態について説明する。特に、束線として電線等の場合で、約数十ｋｇの場合とする。この重たい束線として電線等Ｗは、ほどけないように線等相互を他の結束線ｍで結束しているのが一般である［図６（Ａ）参照］。まず、その４本の調整用小柱３は、台座１から外しておく。その状態で、前記束線として電線等Ｗを台座１上に置き[図６(Ａ）参照]、少し中央側にずらして、その状態で結束線ｍを外す[図６(Ｂ）参照]。このときにずらすのは、重たい束線として電線等Ｗであっても、ロール２，２，…上にあり、僅かな力で簡単に転動できる。
【００２４】
その後、前記台座１の中央位置までロール２を介して転動させる[図６(Ｃ）参照]。そして、重い束線として電線等Ｗの内径内に、４本の調整用小柱３をセットする[図７(Ａ）及び（Ｂ）参照]。このように、４本の調整用小柱３を上まで持ち上げてセットするような力は必要とせず、台座１上に簡単にセットできる。つまり、前記束線として電線等Ｗの巻き径を見ながら、前記４本の調整用小柱３をそれぞれセットできる[図７(Ａ）及び（Ｂ）参照]。この状態で、現場にて適宜の量の電線等Ｗを送り出しができる[図７（Ｃ）参照]。
【００２５】
現場にて、送り出し作業が終わった場合には[図８（Ａ）参照]、再び前記４本の調整用小柱３をそれぞれ外す[図８（Ｂ）参照]。そして、前記台座１の端部まで移動させる[図８（Ｃ）参照]。ここで、持ち運びの際に、バラ付かないように、他の結束線ｍで結束しておく[図８（Ｄ）参照]。このようにして、数十ｋｇ乃至約百ｋｇ程度の重たい束線として電線等Ｗを簡単に運搬でき、電線等Ｗの送り出しなどの作業がスムーズにできる。
【００２６】
また、ドラムに巻き付けた電線等Ｗのドラム巻Ｄの場合でも、図９に示すように、同様にできる。今度は、ドラムが存在しているために、その台座１上に、前記ドラムの回転軸に直交する側部円盤ｄが載置されるようにセットし、且つ両側部円盤ｄ，ｄの外周から囲むようにセットする。下側となった側部円盤ｄは、ロール２，２，…にて、且つ両側部円盤ｄ，ｄが前記調整用小柱３の回転筒体３３にてそれぞれ転動可能に支持されており、数十ｋｇ乃至約百ｋｇ程度となると、電線等Ｗを巻き付けたドラムＤであっても、送り出しなどの作業がスムーズにできる。
【００２７】
特に、本発明では、前記台座上面板１１上の前記放射状長孔１３箇所を除く面には、多数の前記ロール２，２，……が転動可能に設けられているため、電線等Ｗは、その端を引くと、回りすぎることが考えられるが、本発明では、図１０（Ａ）において、例えば、一箇所の調整用小柱３を外側（白抜き矢印方向）に比較的大きな力を加えることで、各調整用小柱３それぞれに加わる力が変化し、その回転力を弱めることができ、回りすぎないようにできる効果もある。
【００２８】
図１１に示した本発明の別の実施形態では、調整用小柱３を３本とすることができ、４本の場合と略同様な効果を奏するにも関わらず、安価に製造できる利点がある。前記調整用小柱３を３本にした場合には、その取り付け、取り外しが、より一層迅速にでき、しかも部品点数が少なくなり安価に提供できる効果がある。
【図面の簡単な説明】
【００２９】
【図１】（Ａ）は本発明の斜視図、（Ｂ）は本発明の使用状態の斜視図である。
【図２】（Ａ）は本発明の平面図、（Ｂ）は本発明の正面図である。
【図３】（Ａ）は調整用小柱箇所の断面図、（Ｂ）は（Ａ）の分解断面図である。
【図４】（Ａ）は図３（Ａ）の要部拡大図、（Ｂ）は異形ナットの斜視図、（Ｃ）は（Ｂ）の異形ナットを使用した状態の（Ａ）のＰ−Ｐ矢視断面図、（Ｄ）は異形ナットの別の実施形態の斜視図、（Ｅ）は（Ｄ）の異形ナットを使用した状態の（Ａ）のＰ−Ｐ矢視断面図である。
【図５】（Ａ）は台座の平面図、（Ｂ）は台座の端部箇所の拡大断面図、（Ｃ）は台座にロールを設けた拡大断面図である。
【図６】（Ａ）は台座上に束線としての電線等を載せた状態の斜視図、（Ｂ）は電線等の結束線を外さんとする状態図、（Ｃ）は台座の略中央に電線等を転動させた状態図である。
【図７】（Ａ）は台座の略中央に電線等を載せつつ、束線の内径箇所に調整用小柱を立設せんとする状態図、（Ｂ）はその調整用小柱を立設した状態図、（Ｃ）は電線等を送り出している状態図である。
【図８】（Ａ）は電線等を送り出して量が少なくなってきた状態図、（Ｂ）はその作業を終了して再び調整用小柱を外した状態図、（Ｃ）は台座上に残りの電線等が載置されている状態図、（Ｄ）は残りの電線等を台座の端に移動し、再び収納のために結束線を設けた状態図、（Ｅ）は結束線で結束した電線等を運搬せんとする状態図である。
【図９】（Ａ）は電線等を巻いたドラムを本発明にセットして送り出している状態の斜視図、（Ｂ）は（Ａ）の正面図である。
【図１０】（Ａ）は電線等を本発明にセットして送り出している平面図、（Ｂ）は電線等を巻いたドラムを本発明にセットして送り出している平面図である。
【図１１】（Ａ）は本発明の別実施形態の平面図、（Ｂ）は（Ａ）の斜視図である。
【符号の説明】
【００３０】
１…台座、１１…台座上面板、１３…放射状長孔、１３１…Ｘ方向長孔、
１３２…Ｙ方向長孔、２…ロール、３…調整用小柱、３１…棒状片、３１ａ…ネジ、３２…軸受、３２ａ…固定輪、３３…回転筒体、３４…支持座、３４ａ…棒出部、
３５ａ…長方形部、３５ｂ…角形棒出部。
【図１】
2010111509.tif 000003
【図２】
2010111509.tif 000004
【図３】
2010111509.tif 000005
【図４】
2010111509.tif 000006
【図５】
2010111509.tif 000007
【図６】
2010111509.tif 000008
【図７】
2010111509.tif 000009
【図８】
2010111509.tif 000010
【図９】
2010111509.tif 000011
【図１０】
2010111509.tif 000012
【図１１】
2010111509.tif 000013